(57)【要約】      （修正有）【課題】組立作業時において、光ファイバの損傷を防ぐ光モジュールを提供する。【解決手段】光モジュールは、ハウジングと、ハウジングの一端に固定された光ケーブルと、光ユニット６とを有する。光ユニット６は光ファイバ心線３１と光軸が一致する第一の光路７１と、第一の光路７１に結合されるとともに第一の光路７１と異なる方向の光軸を有する第二の光路７６と、第一および第二の光路７１、７６を通じて光ファイバ心線３１と結合される光部品７２とを有する。光ユニット６は、光ケーブルからハウジング内に導入された光ファイバ心線３１の一端が保持されるとともに光ファイバ心線３１の一端を第一の光路７１と光学的に接続する第一部品６１と、光部品７２を保持する第二部品６２とを備える。光ユニット６には、第一部品６１と第二部品６２とを光ファイバ心線３１の延在方向に交差する方向（ＵＤ方向）に結合する結合部が形成されている。【選択図】図４
2020016722.tif 000002
【特許請求の範囲】
【請求項１】
ハウジングと、
前記ハウジングの一端に固定されるとともに、光ファイバが内蔵された光ケーブルと、
前記ハウジングの内部に設けられるとともに、前記光ファイバと光軸が一致する第一の光路と、前記第一の光路に結合されるとともに前記第一の光路と異なる方向の光軸を有する第二の光路と、前記第一の光路および第二の光路を通じて前記光ファイバと結合される光部品とを備えた光ユニットとを有し、
前記光ユニットは、
前記光ケーブルから前記ハウジング内に導入された前記光ファイバの一端が保持されるとともに、前記光ファイバの一端を前記第一の光路と光学的に接続する第一部品と、
前記光部品を保持する第二部品と、を備え、
前記光ユニットには、前記第一部品と前記第二部品とを前記光ファイバの延在方向に交差する方向に結合する結合部が形成されている、光モジュール。
【請求項２】
前記結合部は、
前記第一部品および前記第二部品の一方に形成された突起部と、
前記第一部品および前記第二部品の他方に形成され、前記突起部が嵌合される孔を有する、請求項１に記載の光モジュール。
【請求項３】
前記第二部品は、前記光部品を搭載する回路基板を有し、
前記孔は、前記回路基板に形成されている、請求項２に記載の光モジュール。
【請求項４】
前記孔は貫通孔である、請求項２または請求項３に記載の光モジュール。
【請求項５】
前記突起部の先端側はテーパー状に形成されている、請求項２から請求項４のいずれか一項に記載の光モジュール。
【請求項６】
前記突起部の外径は、前記突起部の軸方向の長さの１／３より大きい、請求項２から請求項５のいずれか一項に記載の光モジュール。
【請求項７】
前記第一部品は、前記第一の光路および前記第二の光路の一方を進む光を他方に対して折り返す反射面を有する、請求項１から請求項６のいずれか一項に記載の光モジュール。
【請求項８】
前記第二部品は、前記第一の光路および前記第二の光路の一方を進む光を他方に対して折り返す反射面を有する、請求項１から請求項６のいずれか一項に記載の光モジュール。
【請求項９】
前記光部品は光電変換素子であることを特徴とする請求項１から８のいずれか一項に記載の光モジュール。
【請求項１０】
前記光電変換素子に接続された電気コネクタをさらに備え、
前記電気コネクタは、前記ハウジングの他端に設けられている、請求項９記載の光モジュール。
【請求項１１】
前記第二部品は、前記光部品が搭載される基板を備え、
前記第一部品は前記基板に接して配置されている、請求項１または請求項２に記載の光モジュール。
【発明の詳細な説明】
【技術分野】
【０００１】
本発明は、光モジュールに関する。
【背景技術】
【０００２】
従来、光モジュールとしては、特許文献１に示されたものが知られている。特許文献１の光モジュールは、光ファイバを含む混合ケーブルの一端に光電変換アセンブリが接続された構成となっている。
【先行技術文献】
【特許文献】
【０００３】
【特許文献１】特開２０１７−９０９０９号公報
【発明の概要】
【発明が解決しようとする課題】
【０００４】
特許文献１の光モジュールは、光電変換モジュールの光学ベンチに、光ファイバの一端を保持する光学スリーブを機械的に結合することにより組み立てられる。光学ベンチと光学スリーブとの結合は、光学ベンチに設けられ光ファイバの延在方向に延びるガイドピンを、光学スリーブのガイド孔に嵌合させることにより行われる。このとき、光ファイバが光学ベンチに保持されていることから、光ファイバをその延在方向に移動させる必要が生じ、光ファイバの一端を（急峻に）屈曲させ損傷させてしまう懸念があった。
【０００５】
本発明は、組立時の光ファイバの損傷を防ぎ、信頼性を向上させた光モジュールの提供を目的とする。
【課題を解決するための手段】
【０００６】
本発明の一態様に係る光モジュールは、
ハウジングと、
前記ハウジングの一端に固定されるとともに、光ファイバが内蔵された光ケーブルと、
前記ハウジング内部に設けられるとともに、前記光ファイバと光軸が一致する第一の光路と、前記第一の光路に結合されるとともに前記第一の光路と異なる方向の光軸を有する第二の光路と、前記第一の光路および第二の光路を通じて前記光ファイバと結合される光部品とを備えた光ユニットとを有し、
前記光ユニットは、
前記光ケーブルから前記ハウジング内に導入された前記光ファイバの一端が保持されるとともに、前記光ファイバの一端を前記第一の光路と光学的に接続する第一部品と、
前記光部品を保持する第二部品と、を備え、
前記光ユニットには、前記第一部品と前記第二部品とを前記光ファイバの延在方向に交差する方向に結合する結合部が形成されている。
【０００７】
上記構成によれば、第一部品を光ファイバの延在方向に移動させることなく第一部品と第二部品とが光ファイバの延在方向と交差する方向に結合される。これにより、第一部品と第二部品との結合作業において光ファイバの端部がＳ字状に（急峻に）屈曲されることが防がれる。
【発明の効果】
【０００８】
本発明によれば、組立作業時に、光ファイバの損傷を防ぐことができ、光モジュールの信頼性を向上させることができる。
【図面の簡単な説明】
【０００９】
【図１】本発明の一態様に係る光モジュールの概略構成図である。
【図２】図１に示す光モジュールの分解斜視図である。
【図３】光ユニットの構成を模式的に示す平面図である。
【図４】図３のＡ−Ａ線矢視断面の一部を示した図である。
【図５】結合部の変形例を示す模式図である。
【図６】本発明の他の一態様に係る光モジュールの模式図である。
【図７】本発明の他の一態様に係る光モジュールの模式図である。
【発明を実施するための形態】
【００１０】
＜本発明の実施形態の概要＞
最初に本発明の実施形態を列記して説明する。
（１）  本発明の一態様に係る光モジュールは、
ハウジングと、
前記ハウジングの一端に固定されるとともに、光ファイバが内蔵された光ケーブルと、
前記ハウジング内部に設けられるとともに、前記光ファイバと光軸が一致する第一の光路と、前記第一の光路に結合されるとともに前記第一の光路と異なる方向の光軸を有する第二の光路と、前記第一の光路および第二の光路を通じて前記光ファイバと結合される光部品とを備えた光ユニットとを有し、
前記光ユニットは、
前記光ケーブルから前記ハウジング内に導入された前記光ファイバの一端が保持されるとともに、前記光ファイバの一端を前記第一の光路と光学的に接続する第一部品と、
前記光部品を保持する第二部品と、を備え、
前記光ユニットには、前記第一部品と前記第二部品とを前記光ファイバの延在方向に交差する方向に結合する結合部が形成されている。
【００１１】
上記構成によれば、第一部品を光ファイバの延在方向に移動させることなく第一部品と第二部品とが光ファイバの延在方向と交差する方向に結合される。これにより、第一部品と第二部品との結合作業において光ファイバの端部がＳ字状に（急峻に）屈曲されることが防がれる。
【００１２】
（２）  また、上記（１）の光モジュールにおいて、
前記結合部は、
前記第一部品および前記第二部品の一方に形成された突起部と、
前記第一部品および前記第二部品の他方に形成され、前記突起部が嵌合される孔を有していてもよい。
【００１３】
上記構成によれば、簡単な構造により結合部を実現することができる。
【００１４】
（３）  また、上記（２）に記載の光モジュールにおいて、
前記第二部品は、前記光部品を搭載する回路基板を有し、
前記孔は、前記回路基板に形成されていてもよい。
【００１５】
上記構成によれば、回路基板の孔を容易に形成することができる。
【００１６】
（４）  上記（２）または（３）に記載の光モジュールにおいて、
前記孔は貫通孔であってもよい。
【００１７】
上記構成によれば、突起部を挿入する側の反対側から、貫通孔と突起部とを接着する接着剤を挿入することができる。これにより、第一部品と第二部品との固定がより容易となる。
【００１８】
（５）  上記（２）から（４）のいずれか一つに記載の光モジュールにおいて、
前記突起部の先端側はテーパー状に形成されていてもよい。
【００１９】
上記構成によれば、突起部の先端側が孔に挿入し易くなる。また、突起部の基端部（根本）側の外径が先端側よりも太いため、突起部が折れにくくなる。
【００２０】
（６）  上記（２）から（５）のいずれか一つに記載の光モジュールにおいて、
前記突起部の外径は、前記突起部の軸方向の長さの１／３より大きくてもよい。
【００２１】
上記構成によれば、突起部の強度を好適に保つことができ、突起部が折れにくくなる。
【００２２】
（７）  上記（１）から（６）のいずれか一つに記載の光モジュールにおいて、
前記第一部品は、前記第一の光路および前記第二の光路の一方を進む光を他方に対して折り返す反射面を有していてもよい。
【００２３】
上記構成によれば、コンパクトなスペースで光部品へ光学的に接続する光路を形成できる。また、第一の光路および第二の光路と反射面とをユニット化することができるので、光軸調整が容易である。
【００２４】
（８）  上記（１）から（６）に記載の光モジュールにおいて、
前記第二部品は、前記第一の光路および前記第二の光路の一方を進む光を他方に対して折り返す反射面を有していてもよい。
【００２５】
上記構成によれば、コンパクトなスペースで光部品へ光学的に接続する光路を形成できる。また、光部品と反射面がユニットされるので、光部品への入射光の光軸調整が容易である。
【００２６】
（９）  上記（１）から（８）のいずれか一つに記載の光モジュールにおいて、
前記光部品は光電変換素子であってもよい。
【００２７】
上記構成によれば、光電変換モジュールを好適に実現することができる。
【００２８】
（１０）  上記（９）に記載の光モジュールにおいて、
前記光電変換素子に接続された電気コネクタをさらに備え、
前記電気コネクタは、前記ハウジングの他端に設けられていてもよい。
【００２９】
上記構成によれば、光電変換コネクタを好適に実現することができる。
【００３０】
（１１）  上記（１）または（２）に記載の光モジュールにおいて、
前記第二部品は、前記光部品が搭載される基板を備え、
前記第一部品は前記基板に接して配置されていてもよい。
【００３１】
上記構成によれば、ハウジング内の狭いスペースにおいて部品を収まりよく配置することができる。
【００３２】
＜本発明の実施形態の詳細＞
以下、本発明に係る光モジュールの実施の形態の例を、図面を参照して説明する。
本実施形態に係る光モジュールは、光通信技術などにおいて信号（データ）の伝送に用いられるものであり、接続先のパソコンなどといった電子機器に電気的に接続され、入出力される電気信号を光信号に変換して光信号を伝送するものである。
なお、本発明はこれらの例示に限定されるものではなく、特許請求の範囲によって示され、特許請求の範囲と均等の意味および範囲内でのすべての変更が含まれることが意図される。
【００３３】
（第１実施形態）
図１は、本発明の一実施態様に係る光モジュールの概略構成図である。なお、図１に示すＵ、Ｄ、Ｆ、Ｂ、Ｒ、Ｌは、光モジュール１における方向を示すものであり、Ｕは上方、Ｄは下方、Ｆは前方、Ｂは後方、Ｒは右方、Ｌは左方である。
【００３４】
図１に示すように、光モジュール１は、ハウジング２と、ハウジング２の一端（図１のＢ側端部）に固定される光ケーブル３と、ハウジング２の他端（図１のＦ側端部）にハウジング２からＦ方に突出するように設けられる電気コネクタ４と、を有している。
電気コネクタ４は、例えばパソコンなどの接続対象に挿入されて接続対象と電気的に接続される部分である。
【００３５】
光ケーブル３は、単芯或いは多芯の光ケーブルである。光ケーブル３には、複数本（本例では４本）の光ファイバ心線３１、抗張力体３２、金属編組３３及び外被３４が、その中心から径方向の外側に向けてこの順に配置されている。
【００３６】
光ファイバ心線３１は、コアとクラッドが石英ガラスである光ファイバ（ＡＧＦ：Ａｌｌ  Ｇｌａｓｓ  Ｆｉｂｅｒ）、クラッドが硬質プラスチックからなるプラスチック光ファイバ（ＨＰＣＦ：Ｈａｒｄ  Ｐｌａｓｔｉｃ  Ｃｌａｄ  Ｆｉｂｅｒ）、等を用いることができる。光ファイバ心線３１は、送信側の光信号である発光素子から発せられた信号を伝送する送信用光ファイバと、受信側の光信号である受光素子に入力する光信号を伝送する受信用光ファイバとを含んでいる。
【００３７】
抗張力体３２は、光ファイバ心線３１と外被３４との間に介在されるように、光ファイバ心線３１の外周に設けられている。抗張力体３２は、例えば、アラミド繊維などの抗張力繊維であり、束状に集合された状態で光ケーブル３に内蔵されている。
金属編組３３は、外被３４と抗張力体３２との間に介在されるように抗張力体３２の外周に設けられている。金属編組３３は、例えば錫めっき導線により形成されている。
外被３４は、樹脂製であり、金属編組３３の外周に設けられている。外被３４は、例えばノンハロゲン難燃性樹脂であるＰＶＣ（ｐｏｌｙ  ｖｉｎｙｌ  ｃｈｌｏｒｉｄｅ）により形成されている。
【００３８】
図２は図１に示す光モジュール１の分解斜視図である。図２に示すように、ハウジング２は、第一ハウジング２１と、第一ハウジング２１の内部に収容される第二ハウジング２２と、第一ハウジング２１の内部に収容される第三ハウジング２３とを有している。第二ハウジング２２はＤ側に向けて開口した断面形状で形成され、第三ハウジング２３はＵ側に向けて開口した断面形状で形成され、上下方向に互いに結合される。この場合、第二ハウジング２２および第三ハウジング２３の内部に、後述する光ユニット６を収容する内部空間が形成されている。
【００３９】
光ケーブル３に内蔵された光ファイバ心線３１は、光ケーブル３のＦ側に設けられる光ファイバ固定部５を介してハウジング２内に導入される。光ファイバ固定部５は、板状の基部５１と、基部５１からＢ方に突出するように設けられた筒部５２とを有している。筒部５２は略円筒形状に形成されている。筒部５２の内部には光ケーブル３の光ファイバ心線３１が挿通されている。なお、抗張力体３２は光ファイバ固定部５の開口からハウジング２側へ引き出されて、基部５１の内面（ハウジング２側の面）に沿って基部５１の外側へ引き回され、ハウジング２と基部５１との間で保持されている。外被３４及び金属編組３３は、基部５１と、基部５１の両側からＢ方に延出する保持部材との間で保持されている。この保持部材は、例えば、基部５１の外側（ハウジング２の内側）に設けられて基部５１のＲ側及びＬ側からそれぞれＢ方に延出するカシメリングなどである。
【００４０】
光ファイバ固定部５の周囲には、ブーツ５３が設けられている。ブーツ５３は、第一ハウジング２１のＢ側端部に連結される部分である。ブーツ５３が第一ハウジング２１に連結されることにより、光ファイバ固定部５のうち、第一ハウジング２１のＢ側端部に取り付けられる部分がブーツ５３に覆われている。ブーツ５３のＢ側端部と光ケーブル３の外被３４とは、接着剤（図示省略）により接着されている。
【００４１】
光ユニット６について、図３および図４を用いて詳細に説明する。図３は、光ユニットの構成を模式的に示す平面図である。図４は、図３のＡ−Ａ線矢視断面の一部を示した図である。
【００４２】
光ユニット６は、第一部品６１と、第二部品６２とを備えている。また、光ユニット６は、ハウジング２の内部に設けられるとともに光ファイバ心線３１と光軸が一致する第一の光路７１と、第一の光路７１に結合されるとともに第一の光路７１と異なる方向の光軸を有する第二の光路７６と、を有している。
第一部品６１は、光ファイバ固定部５から露出した光ファイバ心線３１の一端を保持している。
第二部品６２は、光電変換素子である光部品７２を保持するとともに、図４中二点鎖線で示したように、第一部品６１と結合される。これにより、光部品７２が第一の光路７１および第二の光路７６を通じて光学的に光ファイバ心線３１と結合される。第二部品６２は、回路基板６３と、回路基板６３上に設けられた保持体６３１とを有している。
【００４３】
回路基板６３は、第二ハウジング２２と第三ハウジング２３が形成する収容空間に収容される。回路基板６３は、光部品７２と制御用半導体８１，８２を搭載し、これらを電気的に接続する。
【００４４】
図４に示すように、保持体６３１は、第一レンズ７４、第二レンズ７５を保持するとともに、回路基板６３のＵ側の面に、光部品７２及び制御用半導体８１を覆うように設けられている。光部品７２は、第一レンズ７４、第二レンズ７５を介して光ケーブル３の光ファイバ心線３１と光学的に接続されている。光部品７２は、複数の発光素子と、複数の受光素子とを含む光電変換素子である。発光素子および受光素子は、回路基板６３において、Ｕ側の面（実装面）のＢ方端部側に配置されている。発光素子としては、例えば、発光ダイオード（ＬＥＤ：Ｌｉｇｈｔ  Ｅｍｉｔｔｉｎｇ  Ｄｉｏｄｅ）、レーザダイオード（ＬＤ：Ｌａｓｅｒ  Ｄｉｏｄｅ）、面発光レーザ（ＶＣＳＥＬ：Ｖｅｒｔｉｃａｌ  Ｃａｖｉｔｙ  Ｓｕｒｆａｃｅ  Ｅｍｉｔｔｉｎｇ  ＬＡＳＥＲ）などを用いることができる。受光素子としては、例えば、フォトダイオード（ＰＤ：Ｐｈｏｔｏ  Ｄｉｏｄｅ）などを用いることができる。
【００４５】
また、第二部品６２である保持体６３１には、反射面７３が設けられている。反射面７３は、第一の光路７１および第二の光路７６の一方を進む光を他方に対して折り返す光学面である。回路基板６３と保持体６３１とがユニット化されることにより、光ファイバ心線３１から出射した光が、第一レンズ７４、第一の光路７１、反射面７３、第二レンズ７５、第二の光路７６を通り、光部品７２に入射するようになっている。
【００４６】
光ユニット６には、第一部品６１と第二部品６２とが結合する結合部が形成されている。
第一部品６１には、第二部品６２と結合する結合部として、孔６４が形成されている。孔６４は、第一部品６１のＤ側の面に形成されている。
孔６４は、本実施形態では、ＲＬ方向に２つ形成されている。
【００４７】
第二部品６２の保持体６３１には、第一部品６１と結合する結合部として、突起６５が形成されている。突起６５は、孔６４と同数形成され、第二部品６２のＵ側の面に、Ｕ方向に向けて延びるように形成されている。複数の突起６５は、それぞれ、基端部と、円柱状に形成された胴部と、テーパー状の先端部６５１とを有している。突起６５は、それぞれ、突起６５の胴部の外径が突起６５の軸方向の長さ（ＵＤ方向の長さ）の１／３より大きく形成されている。
【００４８】
孔６４と突起６５は、光ファイバ心線３１の延在方向（ＦＢ方向）に交差する方向に結合するように形成されている。ここで、交差する方向とは、直交（ＵＤ方向）と、ＵＤ方向から僅かにずれた角度であって第一部品６１と第二部品６２との結合に支障無い程度にずれた角度を含む。ＵＤ方向から僅かにずれた角度とは、例えば、ＵＤ方向から４°以内のずれである。ＵＤ方向から４°以内のずれであれば、第一部品６１と第二部品６２の結合作業において、光ユニット６と光ファイバ固定部５との間における光ファイバ心線３１が屈曲することが防がれ、第二部品６２に突起６５を容易に形成することができ、第一部品６１に孔６４を容易に形成することができる。
【００４９】
第一部品６１と第二部品６２とが突起６５および孔６４により結合されることにより、第一部品６１に保持された光ファイバ心線３１のＦ側の端部が第一の光路７１と光学的に接続する。第一部品６１と第二部品６２とが突起６５および孔６４により結合されることにより、図４中二点鎖線で示すように、第一部品６１は、保持体６３１の回路基板６３に接して配置されている部分に接して配置される。
【００５０】
電気コネクタ４（図３参照）は、接触子４１により、ハウジング２の内部に設けられる回路基板６３と電気的に接続されている。
【００５１】
上記した光モジュール１における第一部品６１と第二部品６２との結合作業について説明する。
光ファイバ心線３１のＦ側端を保持した第一部品６１を、第二部品６２に結合させていく場合、まず、光ファイバ心線３１が固定されている光ファイバ固定部５は、ＦＢ方向に移動しないように固定する。次に、第一部品６１を第二部品６２のＵ面側に位置させてからＤ方向に移動させて、第一部品６１の孔６４に第二部品６２の突起６５を嵌め入れていく。この場合、孔６４および突起６５はＵＤ方向に形成されているため、第一部品６１及び第一部品６１に固定された光ファイバ心線３１のＦ側端部は、Ｄ方向へ移動するのみである。光ファイバ心線３１がＦＢ方向に移動しないため、光ファイバ固定部５と第一部品６１との間に配置された光ファイバ心線３１が急激に（Ｓ字状に）曲げられることがない。
【００５２】
また、孔６４に突起６５を嵌め入れていくとき、突起６５の先端部６５１がテーパー状に形成されているため、突起６５を孔６４に挿入し易い。また、突起６５の先端部６５１がテーパー状に形成されていることにより、突起６５の基端部の外径は先端部６５１の外径よりも太いため、孔６４に嵌合した突起６５は折れにくい。
【００５３】
ところで、従来の光モジュールでは、光ファイバ心線と光部品とを光学的に接続する構成として、ＦＢ方向に形成した突起及びこの突起に嵌合する孔を用いていた。このような従来の構成においては、光ファイバ固定部と第一部品との間の光ファイバ心線はＦＢ方向に移動することとなるため、光ファイバ固定部と第一部品との間に配置された光ファイバ心線が急峻に曲げられてＳ字状になってしまい、光ファイバ心線が損傷する懸念があった。
これに対して、本実施形態の光モジュール１によれば、光ユニット６には、第一部品６１と第二部品６２とを光ファイバ心線３１の延在方向に交差する方向（ＵＤ方向）に結合する結合部が形成されているので、第一部品６１を光ファイバ心線３１の延在方向（ＦＢ方向）に移動させることなく第一部品６１と第二部品６２とを光ファイバ心線３１の延在方向と交差する方向に結合することができる。これにより、第一部品６１と第二部品６２との結合作業において光ファイバ固定部５と第一部品６１との間に配置された光ファイバ心線３１がＳ字状に（急峻に）屈曲されることが防がれる。このため、第一部品６１と第二部品６２との結合作業における光ファイバの損傷を防ぐことができ、光モジュール１の信頼性が高められる。
【００５４】
また、結合部は、第二部品６２に形成された突起６５と、第一部品６１に形成された孔６４を有するので、簡単な構造により結合部を実現できる。
【００５５】
また、突起６５の外径は突起６５の軸方向の長さの１／３より大きいので、突起６５の強度を好適に保つことができ、突起６５が折れにくくなる。
【００５６】
また、第二部品６２は、第一の光路７１および第二の光路７６の一方を進む光を他方に対して折り返す反射面７３を有するので、コンパクトなスペースで光部品７２へ光学的に接続する光路を形成できる。また、光部品７２と反射面７３をユニットとすることができ、光部品７２への入射光の光軸調整が容易である。
【００５７】
また、光部品７２は光電変換素子であるので、光電変換モジュールを好適に実現することができる。
【００５８】
また、本実施形態の光モジュール１は、光電変換素子（光部品７２）に接続された電気コネクタ４を備え、電気コネクタ４はハウジング２の他端に設けられているので、光電変換コネクタを好適に実現することができる。
【００５９】
なお、本実施の形態において、第一部品６１と第二部品６２の結合をより強固に維持する接着剤を用いてもよい。接着剤は、突起６５を孔６４に嵌め入れる前に、第一部品６１の孔６４内に設けることができる。このような接着剤により、第一部品６１と第二部品６２とがより確実に固定される。
【００６０】
（第一実施形態  変形例）
結合部の孔６４は、上記した実施形態の形態に限らない。次に、孔の形態の変形例について説明する。図５は、光モジュール１Ａの結合部を示す模式図である。図５に示すように、第一部品６１Ａは、ＵＤ方向に貫通した貫通孔６４Ａを有している。その他の構成は第一実施形態と同様であるため、図５に同一符号または同一符号にＡを追加した符号を付して重複する説明を省略する。
【００６１】
本例における第一部品６１Ａと第二部品６２との結合作業について説明する。
第一部品６１Ａの貫通孔６４Ａに、第二部品６２の突起６５を嵌め入れる。貫通孔６４Ａに、突起６５の基部までの突起６５全体が嵌合した後に、第一部品６１ＡのＵ側から貫通孔６４Ａ内に接着剤６６を挿入する。接着剤６６により、突起６５が貫通孔６４Ａ内に固定される。
【００６２】
本変形例の光モジュール１Ａによれば、第一部品６１Ａは貫通孔６４Ａを有するので、突起６５を挿入する側の反対側から、貫通孔６４Ａと突起６５とを接着する接着剤６６を挿入することができる。これにより、第一部品６１Ａと第二部品６２との固定がより容易となる。
【００６３】
（第二実施形態）
次に、第二実施形態について図６を用いて説明する。図６は第二実施形態に係る光モジュール１Ｂの模式図である。第二実施形態において、第一実施形態と同様または同等の構成については、図６に同一符号または同一符号にＢを追加した符号を付して重複する説明を省略する。
【００６４】
第一部品６１Ｂは、突起６５Ｂを有している。第二部品６２Ｂは、保持体６３１Ｂと回路基板６３Ｂを有している。回路基板６３Ｂには貫通孔６４Ｂが設けられている。そして突起６５Ｂを貫通孔６４Ｂに挿入することにより、第一部品６１ＢのＤ側は基板（回路基板６３Ｂ）のＵ側に直接接して配置され、第一部品６１Ｂと第二部品６２Ｂとが一体化される。こうした構成により、第二部品６２ＢのＵＤ方向の厚みを、第一実施形態における保持体６３１のＵＤ方向の厚みよりも低く抑えることができ、ハウジング２内の狭いスペースにおいて部品を収まりよく配置することができ、コンパクトな構造を実現できる。また、貫通孔６４Ｂを回路基板６３Ｂに形成したので、貫通孔６４Ｂを容易に形成することができる。
また、貫通孔６４Ｂに対して、突起６５Ｂを挿入する側の反対側（回路基板６３ＢのＤ側）から接着剤を挿入することができる。これにより、第一部品６１Ｂと第二部品６２Ｂとの固定がより容易となる。
【００６５】
（第三実施形態）
次に、第三実施形態について図７を用いて説明する。図７は第三実施形態に係る光モジュール１Ｃの模式図である。第三実施形態において、第一実施形態〜第二実施形態と同様または同等の構成については、図７に同一符号または同一符号にＣを追加した符号を付して重複する説明を省略する。
【００６６】
第三実施形態において、第一部品６１Ｃは、反射面７３Ｃ、第一の光路７１Ｃ、第二の光路７６Ｃを有している。孔６４Ｃは、第一部品６１Ｃに形成されている。第二部品６２Ｃを構成する回路基板６３ＣのＵ側面（実装面）には突起６５Ｃが形成されている。
【００６７】
本実施形態の光モジュール１Ｃによれば、反射面７３Ｃは第一部品６１Ｃに設けられているので、第一の光路７１Ｃ、反射面７３Ｃ、第二の光路７６Ｃをユニット化することができ、光軸調整が容易となる。
また、第二部品６２Ｃは、光部品７２が搭載される基板（回路基板６３Ｃ）を備え、第一部品６１Ｃは回路基板６３Ｃに直接接して配置されるので、ハウジング２内の狭いスペースにおいて部品を収まりよく配置することができる。
【００６８】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００６９】
上記実施形態では、先端部６５１がテーパー状で胴部が円柱状に形成される２つの突起６５〜６５Ｃの例を説明したが、この構成に限らない。光ファイバ心線３１を急峻に曲げることなく、光部品７２に対して光学的に接続できるように位置決めできるものであれば、突起の形状や個数は限定されない。例えば、突起を３個以上形成してもよい。また、突起の胴部を角柱状や円錐状で形成してもよい。突起を嵌合する孔の形態も、突起の形状や個数に合わせて形成することができる。また、突起と孔の配置も上記実施形態の例に限らない。例えば、図４〜図５及び図７において、突起６５、６５Ｃを第一部品６１、６１Ａ、６１Ｃに設けるとともに、孔６４、貫通孔６４Ａ及び孔６４Ｃを第二部品６２，６２Ｃに設けてもよい。同様に、図６において、突起６５Ｂを第二部品６２Ｂに設けるとともに、貫通孔６４Ｂを第一部品６１Ｂに設けてもよい。また、図５〜図６において、貫通孔６４Ａ，６４Ｂを図４に示す孔６４と同様の形状としてもよく、図４及び図７に示す孔６４、６４Ｃを図５に示す貫通孔６４Ａと同様に貫通孔としてもよい。
【００７０】
また、光ユニット６は、上記した構成以外の部材を含んでいてもよい。例えば、図４に示した第一部品６１、図６に示した第一部品６１Ｂは、光ファイバ心線３１のＦ側端部から出射する光を第一の光路７１に導光するレンズを有していてもよい。
【符号の説明】
【００７１】
１、１Ａ、１Ｂ、１Ｃ  光モジュール
２  ハウジング
３  光ケーブル
４  電気コネクタ
５  光ファイバ固定部
６、６Ａ、６Ｂ、６Ｃ  光ユニット
２１  第一ハウジング
２２  第二ハウジング
２３  第三ハウジング
３１  光ファイバ心線（光ファイバ）
３２  抗張力体
３３  金属編組
３４  外被
４１  接触子
５１  基部
５２  筒部
５３  ブーツ
６１、６１Ａ、６１Ｂ、６１Ｃ  第一部品
６２、６２Ｂ、６２Ｃ  第二部品
６３、６３Ｂ、６３Ｃ  回路基板
６３１、６３１Ｂ  保持体
６４、６４Ｃ  孔
６４Ａ、６４Ｂ  貫通孔
６５、６５Ｂ、６５Ｃ  突起
６５１、６５１Ｂ、６５１Ｃ  （突起の）先端部
６６  接着剤
７１、７１Ｃ  第一の光路
７２  光部品
７３、７３Ｃ  反射面
７４  第一レンズ
７５  第二レンズ
７６、７６Ｃ  第二の光路
８１  制御用半導体（駆動ＩＣ（Ｉｎｔｅｇｒａｔｅｄ  Ｃｉｒｃｕｉｔ））
８２  制御用半導体（ＣＤＲ（Ｃｌｏｃｋ  Ｄａｔａ  Ｒｅｃｏｖｅｒｙ）装置（波形整形器））
【図１】
2020016722.tif 000003
【図２】
2020016722.tif 000004
【図３】
2020016722.tif 000005
【図４】
2020016722.tif 000006
【図５】
2020016722.tif 000007
【図６】
2020016722.tif 000008
【図７】
2020016722.tif 000009